(57)【特許請求の範囲】
【請求項１】
室外機と、
この室外機と接続電線により電気的に接続される室内機と、
この室内機の筐体背面下部に設けられた接続配管・配線用の着脱可能な開口部と、
前記室内機の筐体前面側に配置され、前記接続電線を接続する端子台と、
を備え、前記開口部を取り外して前記接続電線を取り込み、前記端子台に固定するための作業空間を前記室内機の筐体内に形成し、前記筐体前面側の下部の一部を、固定爪にて前記筐体前面側に直接固定される電線接続作業用扉として分割して室内に露出させ、前記電線接続作業用扉を開けた状態で前記筐体下面側より前記接続電線を前記端子台に挿入し、前記電線接続作業用扉の開口部近傍に位置する前記端子台に垂直方向にて接続する構成としたことを特徴とする空気調和機。
【発明の詳細な説明】
【０００１】
【発明の属する技術分野】
この発明は、空気調和機に係り、特に室内機と室外機との電気的接続を行う内外機接続電線を接続する電気接続装置に関するものである。
【０００２】
【従来の技術】
図４は、例えば特開平７−１９８１６０号公報に示された従来の空気調和機を示す断面図である。図４において、１は室内機前面パネル、２は背面パネル、７は端子台、３は開口部である。この開口部３より室外機からの電線を室内機に導き端子台７に接続している。従来はこの開口部３近傍に端子台７を配置し、内外機接続電線を接続する構成である。
【０００３】
【発明が解決しようとする課題】
従来の空気調和機の電気接続装置は以上のように構成されているので、以下のような問題点があった。
内外接続電線はリード線の径が太いため曲げるのが困難である。端子台７が開口部３に近いと取り回し空間が狭く、接続作業が困難である。
また、空気調和機の室内機は設置場所にカーテンがある窓の上方になる場合もあり、従来の開口部３がカーテンレールなどで塞がれてしまう可能性が有った。
また、端子台７下方に障害物があると端子台７のロック解除ボタンを作業者がドライバ−で押す場合、同様に障害物があると押せなくなってしまう。このため室内機内の端子台位置により接続作業が困難になってしまう場合があった。
【０００４】
この発明は、上記のような問題点を解消するためになされたもので、第１の目的は、室内外機接続電線の接続作業をより容易にすることである。
【０００５】
また、第２の目的は、室内機の据え付け場所による作業性の差異を無くすことである。
【０００６】
【課題を解決するための手段】
この発明に係る空気調和機は、室外機と、この室外機と接続電線により電気的に接続される室内機と、この室内機の筐体背面下部に設けられた接続配管・配線用の着脱可能な開口部と、室内機の筐体前面側に配置され、接続電線を接続する端子台と、を備えたものである。
【０００７】
また、筐体背面側より接続電線を挿入し、水平方向にて端子台に接続する構成としたものである。
【０００８】
また、筐体前面側の一部を電線接続作業用扉として分割したものである。
【０００９】
また、筐体前面側の一部を電線接続作業用扉として分割し、筐体下面側より接続電線を挿入し、垂直方向にて端子台に接続する構成としたものである。
【００１０】
また、端子台に接続電線のロック機構とロック解除ボタンを有し、端子台固定部の形状をロック解除ボタンを工具先端等をてこの原理により押圧することが可能にしたものである。
【００１１】
また、端子台固定部に工具の支点となる壁を設けたものである。
【００１２】
また、端子台固定部の形状を、ロック解除ボタンを工具先端等で直接押すことが可能にしたものである。
【００１３】
また、端子台固定部に工具を通す通し穴を設けたものである。
【００１４】
【発明の実施の形態】
実施の形態１．
以下、この発明の実施の形態１を図面を参照して説明する。
図１は実施の形態１を示す図で、空気調和機の側面から見た断面図である。
図において、１は前面パネル、２は背面パネル、３は据付作業用の開口部であり、いずれも空気調和機室内機の外郭で有ると同時に意匠部品である。５は電気品箱で、端子台固定部６によって端子台７を電気品箱５に固定している。端子台７は前面パネル１の真裏に配置される。
【００１５】
以上のように構成された空気調和機において、開口部３を取り外して室内外接続電線を取り込み、端子台７に固定するに当たり従来の端子台のあった空間が空くため、左右上下どの方向より電線を呼び込んでも電線の曲げを大きくできるため、取り回しが容易になる。
【００１６】
また、リモコン受信部・運転表示部が有った前面パネル１側に端子台７を移動したため電気品箱５の構成を従来とほぼ同様とすることができたため、リサイクルに対しても従来と分解性能は同等である。
【００１７】
また、図１に示すように、電線１２を筐体背面より挿入し、水平方向で接続できるように端子台固定部６、端子台７を構成することにより、電線の曲げ半径を大きくすることができるため、電線接続作業が容易になる。
【００１８】
実施の形態２．
以下、この発明の実施の形態２を図面を参照して説明する。
図２は実施の形態２を示す図で、空気調和機の側面から見た断面図である。
図２に示すように、前面パネル１を分割し電線接続作業用扉４を設けることにより、電線接続作業用扉４の開口部より容易に端子台７を発見することができる。
また、電線接続作業用扉４の開口部近傍に端子台７が位置するため電線接続時の取り回しもこの開口部を利用し接続作業がさらに容易になる。
また、電線接続作業用扉４は前面パネル１と同素材とし、電線接続作業用扉４に固定爪を設け直接前面パネル１に固定するため部品点数は増えるが分別の必要もなく環境への影響は皆無である。
【００１９】
また、図２に示すように電線１２を筐体背面より挿入し、垂直方向で接続できるように端子台固定部６、端子台７を構成することにより、据付状態での電線接続作業が容易になる。
【００２０】
実施の形態３．
以下、この発明の実施の形態３を図面を参照して説明する。
図３は実施の形態３を示す図で、空気調和機の部分拡大図である。
電線を端子台７より外す時、端子台７の接続解除ボタン８を押すことにより電線のロックが解除され外すことが可能になる。この時、図３の接続解除ボタン８を工具の一例であるドライバー１２で押すときに端子台固定部６のドライバーの支点になる壁１１を設け、てこの原理で接続解除ボタン８を押すことが出きる構造とし、ボタン操作力を軽減し、作業を容易にすることができる。
【００２１】
実施の形態４．
上記実施の形態３において、端子台固定部６の壁１１にドライバー通し穴９を設け、ドライバー１２を２方向より差し込める構造とし、作業時の自由度を大きくした。
【００２２】
【発明の効果】
この発明に係る空気調和機は、室外機と、この室外機と接続電線により電気的に接続される室内機と、この室内機の筐体背面下部に設けられた接続配管・配線用の着脱可能な開口部と、室内機の筐体前面側に配置され、接続電線を接続する端子台と、を備えたので、端子台が室内機前面側に移動することにより、室内外の接続電線の接続作業において接続電線の取り回し空間が広がり作業が容易になる。
【００２３】
また、筐体背面側より接続電線を挿入し、水平方向にて端子台に接続する構成としたので、端子台と接続電線の接続方向を水平にすることで接続電線の取り回しの曲げを大きくできるため、作業が容易になる。
【００２４】
また、筐体前面側の一部を電線接続作業用扉として分割したので、電線の取り回し空間が広がり作業が容易になる。
【００２５】
また、筐体前面側の一部を電線接続作業用扉として分割し、筐体下面側より接続電線を挿入し、垂直方向にて端子台に接続する構成としたので、電線を持ち上げる方向で力が入れ易い為、作業が容易になる。
【００２６】
また、端子台に接続電線のロック機構とロック解除ボタンを有し、端子台固定部の形状をロック解除ボタンを工具先端等をてこの原理により押圧することが可能にしたので、ボタン操作力が軽減されるため作業が容易になる。
【００２７】
また、端子台固定部に工具の支点となる壁を設けたので、ボタン操作力がさらに軽減されるため作業が容易になる。
【００２８】
また、端子台固定部の形状を、ロック解除ボタンを工具先端等で直接押すことが可能にしたので、作業に多様性ができる。
【００２９】
また、端子台固定部に工具を通す通し穴を設けたので、２方向からドライバーを差し込むことが可能となり作業に多様性ができる。
【図面の簡単な説明】
【図１】  実施の形態１を示す図で、空気調和機の側面から見た断面図である。
【図２】  実施の形態２を示す図で、空気調和機の側面から見た断面図である。
【図３】  実施の形態３を示す図で、空気調和機の部分拡大図である。
【図４】  従来の空気調和機を示す断面図である。
【符号の説明】
１  前面パネル、２  背面パネル、３  開口部、４  電線接続用扉、５  電気品箱、６  端子台固定部、７  端子台、８  接続解除ボタン、９  ドライバー通し穴、１０  電線、１１  壁、１２  ドライバー。
【図１】
0004118473.tif 000002
【図２】
0004118473.tif 000003
【図３】
0004118473.tif 000004
【図４】
0004118473.tif 000005